(57)【要約】【課題】温度によって増幅部に供給する電圧を切り替える増幅装置において、増幅部に供給する電圧を高電圧から低電圧に切り替えても、温度が低下しない問題を解決すること。【解決手段】マイコン２は、温度センサー８計測した温度Ｔが６５℃以下である場合に、電圧供給回路７により、パワーアンプ回路５に高電圧を供給する。また、マイコン２は、温度センサー８が計測した温度Ｔが７０℃以上である場合に、電圧供給回路７により、パワーアンプ回路５に低電圧を供給する。また、マイコン２は、パワーアンプ回路５への低電圧の供給後、温度センサー８が計測した温度Ｔが６５℃よりも高い場合、ボリューム調整回路４が調整するボリュームを６ｄＢ低下させる。【選択図】図３
2015122674.tif 000002
【特許請求の範囲】
【請求項１】
音声信号のボリュームを調整するボリューム調整部と、
前記ボリューム調整部がボリュームを調整した音声信号を増幅する増幅部と、
前記増幅部に設けられた温度計測部と、
前記増幅部に第１電圧、又は、第１電圧よりも電圧値が低い第２電圧を供給する電圧供給部と、
前記ボリューム調整部、及び、前記電圧供給部を制御する制御部と、を備え、
前記制御部は、
前記温度計測部が計測した温度が第１所定温度以下である場合に、前記電圧供給部により、前記増幅部に前記第１電圧を供給し、
前記温度計測部が計測した温度が前記第１所定温度よりも高い第２所定温度以上である場合に、前記電圧供給部により、前記増幅部に前記第２電圧を供給し、
前記増幅部への前記第２電圧の供給後、前記温度計測部が計測した温度が前記第１所定温度よりも高い場合、前記ボリューム調整部が調整するボリュームを所定値低下させることを特徴とする増幅装置。
【請求項２】
前記制御部は、前記ボリューム調整部が調整するボリュームを所定値低下させた場合、前記所定値低下させたボリュームを、前記ボリューム調整部が調整可能な上限に設定することを特徴とする請求項１に記載の増幅装置。
【請求項３】
前記制御部は、
前記電圧供給部により、前記増幅部に前記第１電圧、又は、前記第２電圧を供給する通常モードと、前記増幅部に電圧を供給しない、前記通常モードよりも低消費電力のスタンバイモードと、に自装置を制御し、
前記通常モードにおいて、前記ボリューム調整部が調整可能なボリュームを前記上限に設定した後、自装置を前記スタンバイモードに制御した場合も、前記ボリューム調整部が調整可能なボリュームを前記上限に設定し続け、
前記通常モードにおいて、前記ボリューム調整部が調整可能なボリュームを前記上限に設定した後、自装置への電源供給が遮断された場合も、前記ボリューム調整部が調整可能なボリュームを前記上限に設定し続けることを特徴とする請求項２に記載の増幅装置。
【発明の詳細な説明】
【技術分野】
【０００１】
本発明は、音声信号を増幅する増幅装置に関する。
【背景技術】
【０００２】
ＡＶアンプ（増幅装置）は、音声信号を増幅するパワーアンプ回路（増幅部）を備えている。従来のＡＶアンプは、ＡＶアンプが備えるトランスやパワーアンプ回路等の発熱を抑えるため、パワーアンプ回路に供給する電圧を切り替えている（例えば、特許文献１参照。）。そのため、ＡＶアンプの内部には、温度を計測するための温度センサーが設けられている。例えば、温度センサーが計測した温度が７０℃になると、発熱を抑えるため、パワーアンプ回路に供給する電圧を低くする。また、例えば、パワーアンプ回路に供給する電圧を低くした後、温度センサーが計測した温度が６５℃まで下がると、パワーアンプ回路に供給する電圧を高くする。図４は、電圧の切り替えによるパワーアンプ回路の温度遷移を示す図である。上記のように電圧を切り替えることで、図４に示す（１）のように、パワーアンプ回路の温度が遷移する。
【先行技術文献】
【特許文献】
【０００３】
【特許文献１】特開２０１１−１６６４５６号公報
【発明の概要】
【発明が解決しようとする課題】
【０００４】
しかしながら、設計で想定している出力を超えた大出力をパワーアンプ回路に出し続けた場合には、図４の（２）に示すように、パワーアンプ回路に供給する電圧を低電圧に切り替えたにも関わらず、温度が低下しない場合がある。そうすると、温度が安全規格で定められた温度を超えたままであったり、トランスの温度ヒューズが切れてしまったりする問題が発生する。
【０００５】
本発明の目的は、温度によって増幅部に供給する電圧を切り替える増幅装置において、増幅部に供給する電圧を高電圧から低電圧に切り替えても、温度が低下しない問題を解決することである。
【課題を解決するための手段】
【０００６】
第１の発明の増幅装置は、音声信号のボリュームを調整するボリューム調整部と、前記ボリューム調整部がボリュームを調整した音声信号を増幅する増幅部と、前記増幅部に設けられた温度計測部と、前記増幅部に第１電圧、又は、第１電圧よりも電圧値が低い第２電圧を供給する電圧供給部と、前記ボリューム調整部、及び、前記電圧供給部を制御する制御部と、を備え、前記制御部は、前記温度計測部が計測した温度が第１所定温度以下である場合に、前記電圧供給部により、前記増幅部に前記第１電圧を供給し、前記温度計測部が計測した温度が前記第１所定温度よりも高い第２所定温度以上である場合に、前記電圧供給部により、前記増幅部に前記第２電圧を供給し、前記増幅部への前記第２電圧の供給後、前記温度計測部が計測した温度が前記第１所定温度よりも高い場合、前記ボリューム調整部が調整するボリュームを所定値低下させることを特徴とする。
【０００７】
本発明では、制御部は、増幅部への第２電圧（低電圧）の供給後、温度計測部が計測した温度が第１所定温度よりも高い場合、ボリューム調整部が調整するボリュームを所定値低下させる。これにより、増幅部に第２電圧（低電圧）を供給しても、温度が第１所定温度以下にならない場合に、温度を低下させることが可能である。
【０００８】
また、本発明では、増幅部に設けられた１つの温度計測部を用いて、温度調整を行っているという利点がある。
【０００９】
第２の発明の増幅装置は、第１の発明の増幅装置において、前記制御部は、前記ボリューム調整部が調整するボリュームを所定値低下させた場合、前記所定値低下させたボリュームを、前記ボリューム調整部が調整可能な上限に設定することを特徴とする。
【００１０】
本発明では、制御部は、ボリューム調整部が調整するボリュームを所定値低下させた場合、所定値低下させたボリュームを、ボリューム調整部が調整可能な上限に設定する。従って、設定された上限を超えて音声信号のボリュームが調整されないため、さらに温度を低下させることが可能となる。
【００１１】
第３の発明の増幅装置は、第２の発明の増幅装置において、前記制御部は、前記電圧供給部により、前記増幅部に前記第１電圧、又は、前記第２電圧を供給する通常モードと、前記増幅部に電圧を供給しない、前記通常モードよりも低消費電力のスタンバイモードと、に自装置を制御し、前記通常モードにおいて、前記ボリューム調整部が調整可能なボリュームを前記上限に設定した後、自装置を前記スタンバイモードに制御した場合も、前記ボリューム調整部が調整可能なボリュームを前記上限に設定し続け、前記通常モードにおいて、前記ボリューム調整部が調整可能なボリュームを前記上限に設定した後、自装置への電源供給が遮断された場合も、前記ボリューム調整部が調整可能なボリュームを前記上限に設定し続けることを特徴とする。
【００１２】
例えば、自装置への電源供給が遮断された後、増幅部の温度は低下しやすいが、電圧供給部の温度は低下しにくい。そして、自装置への電源供給が再開された場合、増幅部の温度が上昇する前に、電圧供給部の温度が高くなりすぎる場合がある。本発明では、制御部は、通常モードにおいて、ボリューム調整部が調整可能なボリュームの上限を設定した後、自装置をスタンバイモードに制御した場合も、ボリューム調整部が調整可能なボリュームの上限を設定し続ける。また、制御部は、通常モードにおいて、ボリューム調整部が調整可能なボリュームの上限を設定した後、自装置への電源供給が遮断された場合も、ボリューム調整部が調整可能なボリュームの上限を設定し続ける。従って、ボリュームの上限設定により増幅部の温度上昇が抑えられるため、自装置が通常モードに復帰した場合に、電圧供給部の温度が高くなりすぎるという問題の発生を抑制することができる。
【発明の効果】
【００１３】
本発明によれば、温度によって増幅部に供給する電圧を切り替える増幅装置において、増幅部に供給する電圧を高電圧から低電圧に切り替えても、温度が低下しない問題を解決することができる。
【図面の簡単な説明】
【００１４】
【図１】本発明の実施形態に係るＡＶアンプの構成を示すブロック図である。
【図２】マイクロコンピュータが行う温度調整処理を示すフローチャートである。
【図３】電圧の切り替え、ボリューム調整による温度遷移を示す図である。
【図４】従来の、電圧の切り替えによる温度遷移を示す図である。
【発明を実施するための形態】
【００１５】
以下、本発明の実施形態について説明する。図１は、本実施形態に係るＡＶアンプの構成を示すブロック図である。ＡＶアンプ１（増幅装置）は、入力される音声信号を増幅してスピーカー１００に出力するものである。図１に示すように、ＡＶアンプ１は、マイクロコンピュータ（以下、「マイコン」という。）２、音声入力端子３、ボリューム調整回路４、パワーアンプ回路５、音声出力端子６、電圧供給回路７、温度センサー８、ＥＥＰＲＯＭ９を備えている。
【００１６】
マイコン２（制御部）は、ＣＰＵ（Central Processing Unit）、ＲＯＭ（Read Only Memory）、ＲＡＭ（Random Access Memory）、入出力インターフェース等のハードウェアから構成されている。ＣＰＵは、ＲＯＭに格納されたプログラムに従って、ＡＶアンプ１を構成する各部を制御する。すなわち、マイコン２は、ＡＶアンプ１を構成する各部を制御する。ＲＡＭは、ＣＰＵが各種制御処理を実行する際にＲＯＭから読み出したプログラム、ＣＰＵが各種制御処理を実行する際に必要なデータ等を一時的に記憶する。ＲＡＭは、電源の供給が遮断されると、記憶しているデータが消失する揮発性メモリである。マイコン２が行う処理については後述する。
【００１７】
音声入力端子３には、外部のＣＤプレーヤー等のソース機器から音声信号が入力される。ボリューム調整回路４（ボリューム調整部）は、音声入力端子２から入力された音声信号のボリュームを調整し、パワーアンプ回路５に出力する。ボリューム調整回路４は、マイコン２が決定したボリュームに音声信号を調整する。パワーアンプ回路５（増幅部）は、ボリューム調整回路４から出力された音声信号を増幅し、音声出力端子６に出力する。音声出力端子６には、スピーカー１００が接続されており、音声出力端子６からスピーカー１００に音声信号が出力される。スピーカー１００は、ＡＶアンプ１から入力された音声信号に基づいて、音声を再生する。
【００１８】
電圧供給回路７（電圧供給部）は、ＡＶアンプ１の各部に電圧を供給する。電圧供給回路７は、パワーアンプ回路５には、高電圧（第１電圧）、又は、低電圧（第２電圧）を供給する。例えば、電圧供給回路７は、巻数が異なる２つの二次巻線を有するトランスを備えており、２つの二次巻線を切り替えることで、パワーアンプ回路５に、高電圧、又は、低電圧を供給する（特開２００８−１１８８２５号公報参照）。
【００１９】
温度センサー８（温度計測部）は、パワーアンプ回路５に設けられており、ＡＶアンプ１の筐体内部の温度を計測するものである。温度センサー８は、パワーアンプ回路５に設けられているため、主に、パワーアンプ回路５の影響によるＡＶアンプ１の筐体内部の温度を計測することになる。温度センサー８は、計測した温度の情報をアナログの電気信号として、マイコン２のＡ／Ｄポートに出力する。本実施形態では、温度センサー８は、パワーアンプ回路５のみに１つ設けられている。
【００２０】
ＥＥＰＲＯＭ（Electrically Erasable Programmable Read-Only Memory）９は、ＡＶアンプ１への電源の供給が遮断されても記憶しておくべき復元データを記憶するためのものである。ＥＥＰＲＯＭ３は、電源の供給がなくとも、記憶しているデータを保持する不揮発性メモリである。
【００２１】
以下、マイコン２が行う処理について説明する。マイコン２は、図示しない操作部からの操作を受け付けて、電圧供給回路７により、ＡＶアンプ１を、通常モードと、スタンバイモードと、に制御する。通常モードは、ＡＶアンプ１を構成する各部に電圧が供給されているモードである。スタンバイモードは、マイコン２とその周辺回路に電圧が供給されているモードであり、通常モードよりも低消費電力である。
【００２２】
また、マイコン２は、温度センサー８が計測した温度に基づいて、電圧供給回路７により、パワーアンプ回路５に高電圧、又は、低電圧を供給する。具体的には、マイコン２は、温度センサー８が計測した温度Ｔが、６５℃（第１所定温度）以下である場合、電圧供給回路７により、パワーアンプ回路５に高電圧を供給する。また、マイコン２は、温度センサー８が計測した温度Ｔが、７０℃（第２所定温度）以上である場合、電圧供給回路７により、パワーアンプ回路５に低電圧を供給する。なお、マイコン２は、温度センサー８からＡ／Ｄポートに出力される温度情報（信号）をＡ／Ｄ変換し、Ａ／Ｄ変換した温度情報に基づいて、パワーアンプ回路５に供給する電圧を判断する。
【００２３】
また、通常モードは、ＡＶアンプ１を構成する各部に電圧が供給されているモードであるため、マイコン２は、通常モード時に、電圧供給回路７により、パワーアンプ回路５に高電圧、又は、低電圧を供給する。スタンバイモードは、マイコン２とその周辺回路に電圧が供給されているモードであるため、マイコン２は、スタンバイモード時に、電圧供給回路７により、パワーアンプ回路５に電圧を供給しない。
【００２４】
ここで、温度センサー８が計測した温度が７０℃以上であり、パワーアンプ回路５に供給する電圧を低電圧に切り替えたにも関わらず、温度が低下しない場合がある。そのため、本実施形態では、マイコン２は、パワーアンプ回路５への低電圧の供給後、温度センサー８が計測した温度が６５℃よりも高い場合、ボリューム調整回路４が調整するボリュームを６ｄＢ（所定値）低下させる。すなわち、マイコン２は、ボリューム調整回路４に出力するボリュームを６ｄＢ低下して、ボリューム調整回路４に出力する。例えば、現在ボリュームが５５ｄＢである場合、マイコン２は、ボリューム調整回路４に出力するボリュームを、５５ｄＢから４９ｄＢに低下させることにより、ボリューム調整回路４が調整するボリュームを５５ｄＢから４９ｄＢに低下させる。
【００２５】
また、マイコン２は、ボリューム調整回路４が調整するボリュームを６ｄＢ低下させた場合、６ｄＢ低下させたボリュームを、ボリューム調整回路４が調整可能な上限Ａに設定する。すなわち、マイコン２は、図示しない操作部の操作を受け付けて決定したボリュームが、上限Ａよりも大きい場合であっても、ボリューム調整回路４に上限Ａのボリュームを出力する。例えば、マイコン２は、ボリューム調整回路４が調整するボリュームを５５ｄＢから４９ｄＢに低下させた場合、ボリューム調整回路４が調整可能な上限Ａを４９ｄＢに設定する。マイコン２は、設定した上限ＡをＲＡＭに記憶し、上限Ａまでの範囲のボリュームをボリューム調整回路４に出力する。
【００２６】
また、マイコン２は、通常モードにおいて、ボリューム調整回路４が調整可能なボリュームを上限Ａに設定した後、ＡＶアンプ１をスタンバイモードに制御した場合も、ボリューム調整回路４が調整可能なボリュームを上限Ａに設定し続ける。また、マイコン２は、通常モードにおいて、ボリューム調整回路４が調整可能なボリュームを上限Ａに設定した後、ＡＶアンプ１への電源供給が遮断された場合も、ボリューム調整回路４が調整可能なボリュームを上限Ａに設定し続ける。ここで、ＲＡＭに記憶されているボリューム調整回路４が調整可能な上限Ａは、ＡＶアンプ１への電源供給の遮断により、ＲＡＭから消失する。このため、例えば、マイコン２は、ＲＡＭに記憶した上限ＡをＥＥＰＲＯＭ９にも記憶する。そして、ＡＶアンプ１への電源供給の遮断後、ＡＶアンプ１への電源供給が再開された後、マイコン２は、ＥＥＰＲＯＭ９に記憶した上限ＡをＥＥＰＲＯＭ９から読み出し、再度、ＲＡＭに記憶する。これにより、マイコン２は、通常モードにおいて、ボリューム調整回路４が調整可能なボリュームを上限Ａに設定した後、ＡＶアンプ１への電源供給が遮断された場合も、ボリューム調整回路４が調整可能なボリュームを上限Ａに設定し続けることが可能である。なお、スタンバイモードにおいては、マイコン２に電圧が供給されているため、ＲＡＭに記憶されている上限Ａは、消失しない。
【００２７】
次に、マイコン２が行う温度調整処理について、図２に示すフローチャートに基づいて説明する。マイコン２は、スタンバイモードから通常モードにＡＶアンプ１を制御した後、又は、ＡＶアンプ１への電源供給が再開され、通常モードにＡＶアンプ１を制御した後、以下の処理を実行する。
【００２８】
マイコン２は、温度センサー８が計測した温度Ｔが４５℃以下であるか否かを判断する（Ｓ１）。マイコン２は、温度センサー８が計測した温度Ｔが４５℃以下でない、すなわち、４５℃よりも高いと判断した場合（Ｓ１：Ｎｏ）、ボリューム調整回路４が調整可能なボリュームを上限Ａに設定する（Ｓ２）。ここで、上限Ａは、スタンバイモード、又は、ＡＶアンプ１に電源供給が遮断される前にＲＡＭに記憶された値である。マイコン２は、上限Ａの範囲内で、ボリューム調整回路４にボリュームを出力する。
【００２９】
マイコン２は、温度センサー８が計測した温度Ｔが４５℃以下であると判断した場合（Ｓ１：Ｙｅｓ）、ボリューム調整回路４が調整可能なボリュームの上限Ａを消去する（Ｓ３）。これにより、ＲＡＭに上限Ａが記憶されていない状態となり、マイコン２は、操作部からの操作を受け付けて決定したボリュームを、ボリューム調整回路４に出力する。Ｓ２、又は、Ｓ３の処理の後、マイコン２は、温度センサー８が計測した温度Ｔが７０℃以上であるか否かを判断する（Ｓ４）。マイコン２は、温度Ｔが７０℃よりも低いと判断している間は（Ｓ４：Ｎｏ）、Ｓ４の処理を繰り返し実行する。
【００３０】
マイコン２は、温度Ｔが７０℃以上であると判断した場合（Ｓ４：Ｙｅｓ）、電圧供給回路７により、パワーアンプ回路５に供給する電圧を、高電圧から低電圧に切り替える（Ｓ５）。次に、マイコン２は、ＲＡＭのソフトウェアタイマーをスタートさせる（Ｓ６）。次に、マイコン２は、温度センサー８が計測した温度Ｔが６５℃以下であるか否かを判断する（Ｓ７）。
【００３１】
マイコン２は、温度Ｔが６５℃以下でない、すなわち、６５℃よりも高いと判断した場合（Ｓ７：Ｎｏ）、ソフトウェアタイマーに基づいて、パワーアンプ回路５に低電圧を供給してから、３０分経過しているか否かを判断する（Ｓ８）。マイコン２は、パワーアンプ回路５に低電圧を供給してから、３０分経過していないと判断している間は（Ｓ８：Ｎｏ）、Ｓ７、Ｓ８の処理を繰り返し実行する。マイコン２は、パワーアンプ回路５に低電圧を供給してから３０分経過するまでに、温度Ｔが６５℃以下であると判断した場合（Ｓ７：Ｙｅｓ）、電圧供給回路７により、パワーアンプ回路５に供給する電圧を、低電圧から高電圧に切り替える（Ｓ９）。そして、マイコン２は、ソフトウェアタイマーをリセットし（Ｓ１０）、Ｓ４の処理を実行する。
【００３２】
マイコン２は、パワーアンプ回路５に低電圧を供給してから、３０分経過したと判断した場合（Ｓ８：Ｙｅｓ）、ボリューム調整回路４が調整するボリュームを６ｄＢ低下させる（Ｓ１１）。次に、マイコン２は、６ｄＢ低下させたボリュームを、ボリューム調整回路４が調整可能な上限Ａに設定する（Ｓ１２）。そして、マイコン２は、ソフトウェアタイマーをリセットし（Ｓ１３）、Ｓ７の処理を実行する。
【００３３】
図３は、電圧の切り替え、ボリューム調整による温度遷移を示す図である。マイコン２は、温度Ｔが７０℃以上であるため、時間ｔ１で、電圧供給回路７により、パワーアンプ回路５に供給する電圧を、高電圧から低電圧に切り替えている。その後、３０分経過しても、温度Ｔが６５℃以下にならないため、マイコン２は、時間ｔ２で、ボリューム調整回路４が調整するボリュームを６ｄＢ低下させている。さらに３０分経過しても、温度Ｔが６５℃以下にならないため、マイコン２は、時間ｔ３で、ボリューム調整回路４が調整するボリュームをさらに６ｄＢ低下させている。時間ｔ４で温度Ｔが６５℃以下となったため、マイコン２は、電圧供給回路７により、パワーアンプ回路５に供給する電圧を、低電圧から高電圧に切り替えている。以後、マイコン２は、温度Ｔに応じて、電圧供給回路７により、パワーアンプ回路５に高電圧、又は、低電圧を供給する。
【００３４】
以上説明したように、本実施形態では、マイコン２は、パワーアンプ回路５への低電圧の供給後、温度センサー８が計測した温度Ｔが６５℃よりも高い場合、ボリューム調整回路４が調整するボリュームを６ｄＢ低下させる。これにより、パワーアンプ回路５に低電圧を供給しても、温度Ｔが６５℃以下にならない場合に、温度を低下させることが可能である。
【００３５】
また、本実施形態では、パワーアンプ回路５に設けられた１つの温度センサー８を用いて、温度調整を行っているという利点がある。
【００３６】
また、本実施形態では、マイコン２は、ボリューム調整回路４が調整するボリュームを６ｄＢ低下させた場合、６ｄＢ低下させたボリュームを、ボリューム調整回路４が調整可能な上限Ａに設定する。従って、設定された上限Ａを超えて音声信号のボリュームが調整されないため、さらに温度を低下させることが可能となる。
【００３７】
また、例えば、ＡＶアンプ１への電源供給が遮断された後、パワーアンプ回路５の温度は低下しやすいが、電圧供給回路７の温度は低下しにくい。そして、ＡＶアンプ１への電源供給が再開された場合、パワーアンプ回路５の温度が上昇する前に、電圧供給回路７の温度が高くなりすぎる場合がある。本実施形態では、マイコン２は、通常モードにおいて、ボリューム調整回路４が調整可能なボリュームの上限を設定した後、ＡＶアンプ１をスタンバイモードに制御した場合も、ボリューム調整回路４が調整可能なボリュームの上限を設定し続ける。また、マイコン２は、通常モードにおいて、ボリューム調整回路４が調整可能なボリュームの上限を設定した後、ＡＶアンプ１への電源供給が遮断された場合も、ボリューム調整回路４が調整可能なボリュームの上限を設定し続ける。従って、ボリュームの上限設定によりパワーアンプ回路４の温度上昇が抑えられるため、ＡＶアンプ１が通常モードに復帰した場合に、電圧供給回路７の温度が高くなりすぎるという問題の発生を抑制することができる。
【００３８】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３９】
上述の実施形態においては、マイコン２は、所定の条件を満たす場合に、ボリューム調整回路４が調整するボリュームを６ｄＢ低下させるようになっているが（図２：Ｓ１１）、低下させるボリュームは、６ｄＢに限られず、５ｄＢ以下、７ｄＢ以上であってもよい。
【００４０】
上述の実施形態においては、マイコン２は、温度センサー８が計測した温度が７０℃以上である場合に、電圧供給回路７により、パワーアンプ回路５に低電圧を供給するようになっている（図２：Ｓ４，Ｓ５）。マイコン２が、電圧供給回路７により、パワーアンプ回路５に低電圧を供給するか否かを判断する閾値は、７０℃に限られない。
【００４１】
上述の実施形態においては、マイコン２は、温度センサー８が計測した温度が６５℃以下である場合に、電圧供給回路７により、パワーアンプ回路５に高電圧を供給するようになっている（図２：Ｓ７，Ｓ９）。マイコン２が、電圧供給回路７により、パワーアンプ回路５に高電圧を供給するか否かを判断する閾値は、６５℃に限られない。
【００４２】
上述の実施形態においては、マイコン２は、パワーアンプ回路５に低電圧を供給してから、３０分経過した場合に、ボリューム調整回路４が調整するボリュームを低下させるようになっている（図２：Ｓ８，Ｓ１１）。マイコン２が、ボリューム調整回路４が調整するボリュームを低下させるか否かを判断する閾値は、３０分に限られない。
【００４３】
上述の実施形態においては、マイコン２は、温度センサー８が計測した温度Ｔが４５℃以上である場合に、ボリューム調整回路４が調整可能なボリュームを上限Ａに設定するようになっている（図２：Ｓ１，Ｓ２）。マイコン２が、ボリューム調整回路４が調整可能なボリュームを上限Ａに設定するか否かを判断する閾値は、４５℃に限られない。
【産業上の利用可能性】
【００４４】
本発明は、音声信号を増幅する増幅装置に好適に採用され得る。
【符号の説明】
【００４５】
１  ＡＶアンプ（増幅装置）
２  マイクロコンピュータ（制御部）
３  音声入力端子
４  ボリューム調整回路（ボリューム調整部）
５  パワーアンプ回路（増幅部）
６  音声出力端子
７  電圧供給回路（電圧供給部）
８  温度センサー（温度計測部）
９  ＥＥＰＲＯＭ
【図１】
2015122674.tif 000003
【図２】
2015122674.tif 000004
【図３】
2015122674.tif 000005
【図４】
2015122674.tif 000006